(57)【要約】【課題】外観上の体裁を損なうことなく、サイズが異なる標識塔について、簡易、かつ、適切に転倒防止を図ることができる標識塔を提供すること。【解決手段】本発明に係る標識塔Ａは、底部開口１４を有する標識塔本体１と、この標識塔本体１の底部開口１４に着脱可能に取り付けられる底板部材２と、を備え、底板部材２は、底部の平面的大きさの異なる複数種類の標識塔本体１の底部開口１４に共通に着脱可能に構成されている。【選択図】図１
2007327199.tif 000002
【特許請求の範囲】
【請求項１】
底部開口を有する標識塔本体と、この標識塔本体の上記底部開口に着脱可能に取り付けられる底板部材と、を備えた標識塔であって、
上記底板部材は、底部の平面的大きさの異なる複数種類の標識塔本体の底部開口に共通に着脱可能に構成されていることを特徴とする、標識塔。
【請求項２】
上記底板部材は、上方に延びる複数のフック爪を備え、
上記標識塔本体は、内部空間を規定する縦壁を備えており、
上記縦壁には、上記フック爪が係合するための孔が形成されている、請求項１に記載の標識塔。
【請求項３】
上記複数のフック爪は、対向関係にある２つのフック爪を少なくとも含むフック爪組を複数有するように構成されており、
当該複数のフック爪組は、それぞれ、対向関係にある上記フック爪の間隔が異ならせられている、請求項２に記載の標識塔。
【請求項４】
上記底板部材は、上方に延びるガイドリブを有しており、
上記ガイドリブは、底部の平面的大きさの異なる標識塔本体のそれぞれの縦壁に沿うように設けられている、請求項２または３に記載の標識塔。
【請求項５】
上記標識塔本体は、内部が中空とされており、
上記底板部材を上記標識塔本体に取り付けた状態において、上記底板部材上に重石を載置可能に構成されている、請求項１ないし４のいずれかに記載の標識塔。
【発明の詳細な説明】
【技術分野】
【０００１】
本発明は、道路における通行区域や駐輪・駐車区域などを規制するのに用いられる標識塔に関する。
【背景技術】
【０００２】
従来から、歩道や車道などの交通規制用の標識塔として、例えば合成樹脂製のカラーコーンと称される中空円錐状のものが多用されている。このカラーコーンは、合成樹脂製であるため比較的軽量であり、設置時や撤去時には取り扱い易いが、軽量であるが故に強風などにより転倒しやすいといった問題がある。かかる転倒問題の対応策として、標識塔の下端の鍔状ベース部にコーンベッドと称される硬質ゴム製のリング状の重石を設置する方法が一般に採用されている。また、近年では、カラーコーンのベース部などに隔壁で仕切られた収容空間を設け、当該収容空間に水又は砂を充填することにより重石として機能させるものも知られている（例えば、特許文献１を参照）。
【０００３】
このようなカラーコーンは、工事現場などで臨時の標識として使用される場合が多く、一般に、運搬時や収納時に積み重ねることができるようにその形状や寸法が略統一されている。一方、店舗の玄関先などにおいて通路を確保するために標識塔の設置が必要な場合がある。この場合、設置される標識塔としては、外観上の体裁に優れているものが要求される。また、標識塔の形状や寸法についても様々なニーズがあり、サイズが異なる複数種類のものが要求される場合がある。かかる場合にも転倒防止の対策が必要となる。しかしながら、上記したカラーコーンにおけるコーンベッドを重石として使用する構成では、重石が見えるので見栄えが悪く、店先などに設置するには相応しくない。また、上記したカラーコーンに収容空間を設ける構成では、標識塔のサイズが異なると、そのサイズの異なる種類ごとに対応させて収容空間を設ける必要がある。
【０００４】
【特許文献１】特開２００５−３２０８３２号公報
【発明の開示】
【発明が解決しようとする課題】
【０００５】
本発明は、上記した事情のもとで考え出されたものであって、外観上の体裁を損なうことなく、サイズが異なる標識塔について、簡易、かつ、適切に転倒防止を図ることができる標識塔を提供することを課題としている。
【課題を解決するための手段】
【０００６】
上記課題を解決するため、本発明では、次の技術的手段を講じている。
【０００７】
本発明によって提供される標識塔は、底部開口を有する標識塔本体と、この標識塔本体の上記底部開口に着脱可能に取り付けられる底板部材と、を備えた標識塔であって、上記底板部材は、底部の平面的大きさの異なる複数種類の標識塔本体の底部開口に共通に着脱可能に構成されていることを特徴としている。
【０００８】
本発明に係る標識塔においては、標識塔本体の底部開口に取り付けられる底板部材を備える構成とされている。このため、この底板部材の上に重石を載置することができ、当該重石によって標識塔の転倒を防止することができる。そして、底板部材が標識塔本体の底部開口に取付けられた状態においては、当該重石は標識塔本体の内部空間に収容されることになるので、外からは見えない。また、底板部材は、底部の平面的大きさの異なる複数種類の標識塔本体に共通して取り付け可能とされているため、大小種々な標識塔本体に兼用することができる。したがって、このような構成の標識塔によれば、外観上の体裁を損なうことなく、サイズが異なる標識塔について、簡易、かつ、適切に転倒防止を図ることができる。
【０００９】
本発明の好ましい実施の形態においては、上記底板部材は、上方に延びる複数のフック爪を備え、上記標識塔本体は、内部空間を規定する縦壁を備えており、上記縦壁には、上記フック爪が係合するための孔が形成されている。
【００１０】
このような構成によれば、標識塔本体の縦壁に形成された孔に底板部材のフック爪が係合する姿勢にて底板部材を標識塔本体の底部開口に嵌め込むといった簡単な操作により、標識塔本体からの底板部材の脱落を防止することができる。
【００１１】
本発明の好ましい実施の形態においては、上記複数のフック爪は、対向関係にある２つのフック爪を少なくとも含むフック爪組を複数有するように構成されており、当該複数のフック爪組は、それぞれ、対向関係にある上記フック爪の間隔が異ならせられている。
【００１２】
このような構成によれば、底部の平面的大きさが異なる複数種類の標識塔本体のそれぞれに対して、底板部材に形成されたフック爪組を各別に対応させることができる。
【００１３】
本発明の好ましい実施の形態においては、上記底板部材は、上方に延びるガイドリブを有しており、上記ガイドリブは、底部の平面的大きさの異なる標識塔本体のそれぞれの縦壁に沿うように設けられている。
【００１４】
このような構成によれば、底板部材のガイドリブが標識塔本体の縦壁に当接することにより、底板部材の面内方向への移動が規制される。したがって、底板部材の取り付け時におけるがたつきをなくし、または少なくすることができる。
【００１５】
本発明の好ましい実施の形態においては、上記標識塔本体は、内部が中空とされており、上記底板部材を上記標識塔本体に取り付けた状態において、上記底板部材上に重石を載置可能に構成されている。
【００１６】
本発明のその他の特徴および利点は、添付図面を参照して以下に行う詳細な説明によって、より明らかとなろう。
【発明を実施するための最良の形態】
【００１７】
以下、本発明の好ましい実施の形態について、図面を参照して具体的に説明する。
【００１８】
図１は、本発明に係る標識塔の一例を示す正面図である。同図に示すように、標識塔Ａは、標識塔本体１と、底板部材２とを備える。本発明に係る標識塔Ａを構成する標識塔本体１としては、例えば設置場所に対応させて使い分けることができるように、サイズが異なる複数種類のものが準備される。本実施形態では、標識塔本体１は、大小２種類のサイズのものが用いられ、図１に表された標識塔本体１は、サイズの大きい方（以下、適宜「標識塔本体１Ｌ」とする）である。なお、説明の便宜上、図１を基準として上下の方向を特定することにする。
【００１９】
標識塔本体１は、上方が窄む四角錐状の本体部１１と、この本体部１１の下部に繋がるベース部１２を有しており、全体として内部が中空とされている。標識塔本体１は、内部空間を規定する縦壁１３を有しており、底部が開口（底部開口１４）している。縦壁１３は、本体部１１からベース部１２に跨って上下方向に延びている。本体部１１の上部の縦壁１３には、チェーンなどを通すための貫通孔（図示略）が適宜形成されている。図１〜図３に表れているように、ベース部１２は、本体部１１よりも幅および奥行き寸法が大きい平面視矩形状とされており、外形を規定する側板１５と、上面を規定する上板１６と、縦壁１３の一部と、これらを側板１５、上板１６、縦壁１３を繋ぐ複数のリブ１７とから構成されている。縦壁１３のうちベース部１２を構成する部分は、その内側に底板部材２を受け入れる部分であり、当該縦壁１３の対向面間は所定の寸法とされている。また、当該縦壁１３のうち対向関係にある２箇所には、後述する底板部材２のフック爪２２を係合するための孔１８が形成されている。このような構成の標識塔本体１は、例えばポリプロピレンもしくはポリエチレンなどの所定の強度を有する合成樹脂により一体形成される。なお、図５に表れている標識塔本体１は、図１〜図３に表れている標識塔本体１Ｌよりもサイズの小さいもの（以下、適宜「標識塔本体１Ｓ」とする）であり、底部の平面的大きさが標識塔本体１Ｌよりも小さくされている。
【００２０】
底板部材２は、これに重石Ｗを載せるなどしたうえで標識塔本体１（１Ｌ，１Ｓ）の底部開口１４に着脱可能に取り付けるためのものである。底板部材２は、フレーム板２１と、４つのフック爪２２と、重石支持部２３と、ガイドリブ２４とを備え、例えばポリプロピレンなどの所定の強度を有する合成樹脂により一体形成される。フレーム板２１は、平面視略矩形の枠状とされており、地面ないし床面に安定した状態で載置できるように下面が平面状とされている。フレーム板２１における各フック爪２２に対応する位置には切欠き２１ａが形成されている。また、フレーム板２１の適所には、貫通孔２１ｂが形成されている。各フック爪２２は、フレーム板２１の各辺に対応する位置に設けられており、図４に示すように、フレーム板２１の上面から上方に延びる所定幅の起立部２２１と、起立部２２１の先端においてフレーム板２１の外側に折れ曲がる爪部２２２と、フレーム板２１の内側において起立部２２１に沿って延びるリブ部２２３とを備える。爪部２２２の上面は、フレーム板２１の外側に向けて傾斜する傾斜面２２２ａとされている。底板部材２を標識塔本体１に取り付ける際には、フック爪２２は、この傾斜面２２２ａによって案内されながらフレーム板２１の内側に向けて弾性変形するので、爪部２２２を標識塔本体１の孔１８に係合させることができる。底板部材２を標識塔本体１から取り外す際には、切欠き２１ａを通じて指や器具によって爪部２２２をフレーム板２１の内側に向けて弾性変形させ、爪部２２２の孔１８に対する係合を解除することにより行うことができる。
【００２１】
４つのフック爪２２は、対向関係にある２つを１つの組とするフック爪組２２Ｌ，２２Ｓからなる。フック爪組２２Ｌは、図２に表れているように、サイズの大きい標識塔本体１Ｌに底板部材２が取り付けられた際に当該標識塔本体１Ｌの縦壁１３に沿うように配置されており、フック爪組２２Ｌを構成するフック爪２２の間隔Ｌ１は、縦壁１３の対向面間に対応する寸法とされている。フック爪組２２Ｓは、図５に表れているように、サイズの小さい標識塔本体１Ｓに底板部材２が取り付けられた際に当該標識塔本体１Ｓの縦壁１３に沿うように配置されており、フック爪２２Ｓを構成するフック爪２２の間隔Ｌ２は、縦壁１３の対向面間に対応する寸法とされている。即ち、フック爪組２２Ｌ，２２Ｓにおいては、大小２種類の標識塔本体１Ｌ，１Ｓに適合するように、フック爪組２２Ｌを構成するフック爪２２の間隔Ｌ１とフック爪組２２Ｓを構成するフック爪２２の間隔Ｌ２とが異ならせられている。
【００２２】
重石支持部２３は、重石Ｗを載せる部分であり、所定の耐荷重性能を有するように構成されている。本実施形態では、重石支持部２３は、フレーム板２１の上面に延びる板片が格子状に組み合わされた構成とされている。ガイドリブ２４は、大小２種類の標識塔本体１Ｌ，１Ｓに対応する位置に設けられている。ガイドリブ２４は、フレーム板２１の上面から上方に延びるようにして形成されており、サイズの大きい標識塔本体１Ｌの縦壁１３の内周面に沿う部分を有するように形成されたガイドリブ２４Ｌ（図２参照）と、サイズの小さい標識塔本体１Ｓの縦壁１３の内周面に沿う部分を有するように形成されたガイドリブ２４Ｓ（図５参照）とからなる。本実施形態では、ガイドリブ２４Ｓは、格子状の重石支持部２３の外枠部分により構成されている。このようなことから理解できるように、底板部材２は、大小２種類の標識塔本体１Ｌ，１Ｓに対して共通して取り付けることができる。
【００２３】
次に、上記した標識塔Ａの作用について説明する。
【００２４】
標識塔Ａを使用する際には、底板部材２上に重石Ｗを載せたうえで、当該底板部材２に標識塔本体１を被せるようにして、当該底板部材２が標識塔本体１に取り付けられる。ここで、標識塔本体１に対する底板部材２の取り付けは、標識塔本体１の縦壁１３に形成された孔１８に底板部材２のフック爪２２が係合する姿勢にて底板部材２を標識塔本体１の底部開口１４に嵌め込むといった簡単な操作により行うことができる。底板部材２に載せる重石Ｗとしては、水を充填したペットボトルやコンクリートブロックなどが好適に用いられる。当該重石Ｗを底板部材２に載せることにより、標識塔Ａの転倒を防止することができる。そして、底板部材２が標識塔本体１に取付けられた状態においては、当該重石Ｗは標識塔本体１の内部空間に収容されることになるので、外からは見えない。また、底板部材２は、底部の平面的大きさが異なる２種類の標識塔本体１Ｌ，１Ｓに共通して取り付け可能とされており、標識塔本体１Ｌ，１Ｓに対して兼用して使用することができる。したがって、このような構成の標識塔Ａによれば、外観上の体裁を損なうことなく、サイズが異なる標識塔本体１Ｌ，１Ｓについて、簡易、かつ、適切に転倒防止を図ることができる。
【００２５】
底板部材２が標識塔本体１に取付けられた状態においては、底板部材２のフック爪２２が標識塔本体１の縦壁１３に形成された孔１８に係合している。これにより、底板部材２の取り付け状態が適切に維持され、標識塔本体１から底板部材２が不用意に脱落することは回避される。
【００２６】
底板部材２のガイドリブ２４（２４Ｌ，２４Ｓ）は、サイズ（底面部の平面的大きさ）が異なる標識塔本体１Ｌ，１Ｓのそれぞれの縦壁１３に沿うように設けられている。したがって、底板部材２がサイズの異なる標識塔本体１Ｌ，１Ｓのいずれに取り付けられた場合でも、底板部材２のガイドリブ２４は、標識塔本体１の縦壁１３に当接することにより、底板部材２の面内方向への移動が規制される。したがって、底板部材２の取り付け時におけるがたつきをなくし、または少なくすることができる。また、このガイドリブ２４は、フック爪２２に不当な荷重が作用するのを防止する役割をも担う。
【００２７】
底板部材２に形成されたフック爪２２は、対向関係にある２つのフック爪２２を１つの組としており、当該対向するフック爪２２の間隔が相対的に大きいフック爪組２２Ｌと、対向するフック爪２２の間隔が相対的に小さいフック爪組２２Ｓとから構成されている。このような構成によれば、底部の平面的大きさが異なる２種類の標識塔本体１Ｌ，１Ｓのそれぞれに対して、底板部材２に形成されたフック爪組２２Ｌ，２２Ｓを各別に対応させることができる。かかる構成は、底部の平面的大きさが異なる標識塔本体１Ｌ，１Ｓについて、その標識塔本体１Ｌ，１Ｓ側の形状や寸法についての制約を極力抑えつつ底板部材２を兼用するうえで好適である。
【００２８】
以上、本発明の具体的な実施形態を説明したが、本発明はこれに限定されるものではなく、発明の思想から逸脱しない範囲内で種々な変更が可能である。
【００２９】
上記実施形態では、底板部材２は２種類の標識塔本体１Ｌ，１Ｓに対して共通に適用可能な構成とされているが、この構成に限定されない。本発明に係る底板部材としては、３種類以上の標識塔本体に対して共通に適用可能な構成とすることができる。
【００３０】
本発明に係る標識塔本体や底板部材の各部の具体的な形状や材質なども、上記実施形態に限定されるものではない。
【図面の簡単な説明】
【００３１】
【図１】本発明に係る標識塔の一例を示す正面図である。
【図２】図１のII−II線に沿う断面図である。
【図３】図２のIII−III線に沿う断面図である。
【図４】図３の要部拡大図である。
【図５】図１に表された標識塔本体よりも底部の平面的大きさが小さい標識塔本体を用いた場合における図２と同様の図である。
【符号の説明】
【００３２】
Ａ      標識塔
１，１Ｌ，１Ｓ    標識塔本体
２      底板部材
１３    縦壁
１４    底部開口
１８    孔
２２    フック爪
２２Ｌ，２２Ｓ    フック爪組
２４，２４Ｌ，２４Ｓ    ガイドリブ
【図１】
2007327199.tif 000003
【図２】
2007327199.tif 000004
【図３】
2007327199.tif 000005
【図４】
2007327199.tif 000006
【図５】
2007327199.tif 000007